(57)【要約】【課題】被運搬物周囲を巻回する締め具シート本体の端部相互を重ね合わせ接合して巻き締め固定するとき、その固定作業を簡単確実、迅速に処理できるようにする。【解決手段】積載した被運搬物Ｃの周囲を巻回して被運搬物Ｃの荷崩れを防止するよう被運搬物Ｃの周囲を巻回する帯状の締め具シート本体１の端部それぞれを重ね合わせて接合する固定手段１０を設ける。この固定手段１０は、締め具シート本体１のいずれか一方の端部に、端部を長手方向に沿って牽引させるように配した取っ手１３を設け、他方の端部に、締め具シート本体１自体を牽引するよう牽引ポケット１４を締め具シート本体１の端縁部分に、その開口部分が締め具シート本体１の一方の端部側に向けられている状態で配する。牽引ポケット１４は、締め具シート本体１の端部の内外側面の少なくともいずれか一方に設ける。【選択図】図１
0003126420.tif 000002
【実用新案登録請求の範囲】
【請求項１】
積載された被運搬物の周囲を巻回して被運搬物の荷崩れを防止する荷崩れ防止用締め具であって、被運搬物の周囲を巻回する帯状の締め具シート本体１の端部それぞれを重ね合わせて接合する固定手段を設け、この固定手段は、締め具シート本体のいずれか一方の端部に、端部を長手方向に沿って牽引させるように配した取っ手を設け、他方の端部に、締め具シート本体自体を牽引するよう牽引ポケットを締め具シート本体の端縁部分に、その開口部分が締め具シート本体の一方の端部側に向けられている状態で配してあることを特徴とする荷崩れ防止用締め具。
【請求項２】
締め具シート本体の端部それぞれに締め具シート本体の長手方向に直交する方向で端縁に配した剛性材製の保形芯材を備えている請求項１に記載の荷崩れ防止用締め具。
【請求項３】
牽引ポケットは、締め具シート本体の端部の外側面あるいは内側面の少なくともいずれか一方に設けられている請求項１または２に記載の荷崩れ防止用締め具。
【考案の詳細な説明】
【技術分野】
【０００１】
この考案は主として荷役用パレットその他に積載した段ボール容器等の各種の被運搬物の周囲を巻回拘束してこれ等の荷崩れを防止するとき、巻回拘束する広幅帯状の締め具自体の端部相互を簡単に止着固定できるようにした荷崩れ防止用締め具に関する。
【背景技術】
【０００２】
従来から荷役パレット上に積載した各種の被運搬物の荷崩れを防止すべく種々の方法が採用されている。ただ、従前であれば透明な帯状のポリエチレン製の合成樹脂フィルムシートによって巻回固定している場合は、使用後の廃棄処理に際し、再使用は困難であるから焼却処分することによった場合の公害等の発生が指摘されている。そのため、焼却等の廃棄処分をせずに再使用できるようにした各種の荷崩れ防止具が提案されている。例えば特許文献１，２に示される荷崩れ防止装置等である。
【０００３】
特許文献１に係る荷崩れ防止シートは、帯状のシート部材の一端に面ファスナー付きの複数の帯状係着部材を設け、他端にこの帯状係着部材を挿通反転させるようにした角型の係止リングを設けて成る。これの使用は、被運搬物周囲を巻回した後の帯状係着部材を係止リングに挿通させた後に引き締めて反転させ、面ファスナーにて接合固定するものとしてある。
【０００４】
特許文献２に係る運搬物用荷くずれ防止装置は、帯状のシートカバーの端部には、シートカバー端部相互を重ね合わせて位置決めさせる牽引手段を付設し、この牽引手段は、カバーシートの重ね合わせる内側部分に剛性材製の保形材と取っ手とを備え、重ね合わされるシートカバーの端部における外側部分には内側部分の取っ手を外出させる細長い外出スリットを長手方向に沿って切欠開口して成る。これを使用するには、被運搬物周囲の巻回後で、重ね合わされる端部の内側の取っ手を外出スリットから外出させて強く引いて被運搬物周囲を引き締めると共に、重ね合わせ部分相互を面ファスナーにて接合するものとしてある。
【特許文献１】特許第３５５１２５０号公報
【特許文献２】特許第２６０５２２１号公報
【考案の開示】
【考案が解決しようとする課題】
【０００５】
ところが特許文献１に示された従来の荷崩れ防止シートによると、帯状係着部材の係止リングへの挿通、その挿通後の折り返し反転等が面倒である。また、特許文献２に示された荷くずれ防止装置等によると、シートカバー端部相互の重ね合わせ時に取っ手を外出スリットから外出させるに、作業者の手、腕等を外出スリットに一旦は差し入れて引き出す手間が掛かる等で面倒でもある。
【０００６】
そこでこの考案は叙上のような従来存した諸事情に鑑み案出されたもので、被運搬物周囲を巻回する締め具シート本体の端部相互を重ね合わせ接合して巻き締め固定するとき、その固定作業を簡単確実に行えるようにし、しかも作業を迅速に処理できるようにした荷崩れ防止用締め具を提供することを目的とする。
【課題を解決するための手段】
【０００７】
上述した課題を解決するため、この考案にあっては、積載された被運搬物Ｃの周囲を巻回して被運搬物Ｃの荷崩れを防止するものであって、被運搬物Ｃの周囲を巻回する帯状の締め具シート本体１の端部それぞれを重ね合わせて接合する固定手段１０を設け、この固定手段１０は、締め具シート本体１のいずれか一方の端部に、端部を長手方向に沿って牽引させるように配した取っ手１３を設け、他方の端部に、締め具シート本体１自体を牽引するよう牽引ポケット１４を締め具シート本体１の端縁部分に、その開口部分が締め具シート本体１の一方の端部側に向けられている状態で配してあることを特徴とする。
締め具シート本体１の端部それぞれに締め具シート本体１の長手方向に直交する方向で端縁に配した剛性材製の保形芯材１２を備えることができる。
牽引ポケット１４は、締め具シート本体１の端部の外側面あるいは内側面の少なくともいずれか一方に設けられる。
【０００８】
以上のように構成されたこの考案に係る荷崩れ防止用締め具にあって、積載された被運搬物Ｃ周囲を巻回した締め具シート本体１の端部相互を重ね合わせ固定することで被運搬物Ｃの荷崩れを防止させる。締め具シート本体１の巻回装着に際し、固定手段１０において、締め具シート本体１のいずれか一方の端部はその取っ手１３を、またいずれか他方の端部はその牽引ポケット１４に手指等を挿入して近接させるよう牽引することで、締め具シート本体１の端部相互を被運搬物Ｃ周囲を引き締めた状態で固定する。
締め具シート本体１端部に備えた保形芯材１２は、この端部を展延させた拡げた状態として重ね合わせて固定するときの接合作業を容易、確実にさせる。
締め具シート本体１端部の外側面あるいは内側面に設けた牽引ポケット１４は、牽引するときの締め具シート本体１の内外側面のいずれかを、作業姿勢その他に対応して選択して牽引させる。
【考案の効果】
【０００９】
この考案は以上説明したように構成されているため、被運搬物Ｃ周囲を巻回する締め具シート本体１の端部相互を重ね合わせ接合して巻き締め固定するとき、締め具シート本体１の端部それぞれを取っ手１３、牽引ポケット１４にて牽引すれば良く、その固定作業を簡単確実に行える。しかも締め具シート本体１の一方の端部は取っ手１３にて、他方の端部は手指を挿入する牽引ポケット１４にて直接的に近接させるよう牽引することで作業を迅速に処理できる。
【００１０】
すなわちこれは、この考案において、被運搬物Ｃの周囲を巻回する帯状の締め具シート本体１の端部それぞれを重ね合わせて接合する固定手段１０において、締め具シート本体１のいずれか一方の端部に取っ手１３を設け、他方の端部に牽引ポケット１４を配したからである。これによって、締め具シート本体１の端部相互の牽引、巻き締め、特に牽引ポケット１４に挿入した手指による締め具シート本体１の直接の牽引で、作業の容易性、端部相互の重ね合わせ接合等を確実にする。
【００１１】
また締め具シート本体１の端部には、締め具シート本体１の長手方向に直交する方向で剛性材製の保形芯材１２を備えることで、柔軟性ある締め具シート本体１であっても、その端部は拡げられた状態となる。そのため、端部相互を牽引して重ね合わせるとき、端部が全面的に接合され、面ファスナー部１１による接合を良好にし、被運搬物Ｃによる荷重その他による分離、離反等を防止できる。
【００１２】
牽引ポケット１４は、その開口部分が締め具シート本体１の一方の端部側に向けられているから、作業者の手指が挿入され、手指を介して牽引するとき他方の端部側へ締め具シート本体１自体を牽引することになり、牽引作業を容易にする。
【００１３】
しかもこの牽引ポケット１４自体は、締め具シート本体１の端部における外側面、内側面にそれぞれ配されることで、作業現場における作業員の作業姿勢、被運搬物Ｃの積載状況等によっていずれを選択するも良く、使い勝手を向上させている。特に、内側面に配置の牽引ポケット１４に手指を挿入して牽引するときには作業者にとって逆手態様ともなって、締め具シート本体１を一層強く牽引できる。
【００１４】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１５】
以下図面を参照してこの考案を実施するための最良の一形態を説明すると、図において示される符号１は例えば荷役用パレットＰ上に積載された段ボール容器等の各種の被運搬物Ｃの周囲を巻回することで装着するシート状の締め具シート本体である。この締め具シート本体１は被運搬物Ｃの周囲を巻回するに充分な長さと、所定の幅員例えば積載される上下方向に沿った被運搬物Ｃ相互間に跨るに足りる幅員とを備えた帯状となるよう、ポリエステル繊維を素材として織り込み形成したものである。
【００１６】
この締め具シート本体１自体には、締め具シート本体１自体を弾性的に伸縮させ、被運搬物Ｃの周囲長さに若干の相違がある場合に、その長さを自動調整できるように弾性的に伸縮する弾性帯部２を設けてある。この弾性帯部２は例えば図示のように、締め具シート本体１の中央部分に位置させて、締め具シート本体１の上下部分に各別に幅広帯状にして配した対構造とする。あるいは図示を省略したが、複数の細帯状にして配した複数連構造としたり、締め具シート本体１のほぼ同一幅員とした単連構造としたり等としても良い。  
【００１７】
また、締め具シート本体１を被運搬物Ｃの巻回装着後で巻き締め固定する固定手段１０が設けられている。この固定手段１０は、締め具シート本体１の端部相互を重ね合わせた状態で接合するもので、締め具シート本体１の端部それぞれに締め具シート本体１の長手方向に直交する方向で端縁に配した剛性材製の保形芯材１２を備えると共に、いずれか一方の端部に、端部を長手方向に沿って牽引させるように配した取っ手１３を設ける。また、他方の端部に、締め具シート本体１自体を牽引するよう牽引ポケット１４を締め具シート本体１の端縁部分における内外の両側面に、その開口部分が締め具シート本体１の長手方向に沿って、一方の端部側に向けられている状態で配してある。
【００１８】
締め具シート本体１の端部相互における重ね合わせ状の接合は、端部に配設した雌雄の面ファスナー部１１による。図示にあって、重ね合わせ状の接合は、面ファスナー部１１は取っ手１３側では外側面に、牽引ポケット１４側では内側面にそれぞれで締め具シート本体１の長手方向の両側縁に沿って配され、いずれか一方が雌部面、いずれか他方が雄部面となっている。また締め具シート本体１の長手方向に沿って配されることで、被運搬物Ｃの周囲長さの相違への対応、接合面積の増大による固定の確実性を図る。
【００１９】
保形芯材１２は、締め具シート本体１の端縁部において締め具シート本体１の長さ方向に直交させて、例えば締め具シート本体１の端縁部を折り返して筒状に形成した筒部分内に封入してある。この保形芯材１２によって締め具シート本体１の端部を取っ手１３にて牽引するときの締め具シート本体１端部の展延状態を保持し、締め具シート本体１の端部相互の重ね合わせ接合を確実にする。この保形芯材１２は必要に応じて封入あるいは付設され、場合によっては封入・付設されないこともある。
【００２０】
取っ手１３は、締め具シート本体１の端部縁で、締め具シート本体１の長さ方向に突出したループ状に形成された細帯布材製として、端部の上下に対状となる二連式構成として設けてある。もとより剛性材としたり、三連式等の複数連構成としたり、締め具シート本体１の外側面に配設したり等、種々な形状、構造への変更も可能である。
【００２１】
牽引ポケット１４は、締め具シート本体１における取っ手１３が設けられていない他方の端部を牽引するもので、作業者の手指等が挿入される深さと幅員とを備え、締め具シート本体１の端部の外側面あるいは内側面の少なくともいずれか一方に設けられる。図１乃至図４にあっては締め具シート本体１端部外側面における上下の両側縁部位に対状で設けられている。また図５にあっては締め具シート本体１端部内側面における上下の両側縁部位から内側に位置させて対状で設けられている。この牽引ポケット１４は締め具シート本体１の内外両側面に設けられることで、作業者は作業姿勢その他によって内外位置の牽引ポケット１４のいずれかを選択使用して作業でき、使用勝手を向上させる。
【００２２】
なお、場合によっては取っ手１３を採用せずに、締め具シート本体１の端部それぞれに牽引ポケット１４を設けることも可能である。こうすることで巻回装着後では、外側にループ状で出張ることがある取っ手１３がなくなり、例えば被運搬物Ｃの移動・運搬中等における他物を引っ掛けることもない等の安全性を考慮したものともなる。
【００２３】
次にこれの使用の一例を説明する。図２に示すように荷役用パレットＰ上に段積状に積載した、商品梱包後の各種段ボール箱その他の被運搬物Ｃの周囲を巻回装着して外部からの衝撃、振動等による荷崩れを防止する。巻回装着に際し、例えば締め具シート本体１のいずれか一方の端部をその保形芯材１２によって被運搬物Ｃ相互の上下間の隙間に挿入しておき、被運搬物Ｃの周囲を締め具シート本体１にて巻回する。次いで、挿入部分を取り外して締め具シート本体１の端部相互を重ね合わせるもので、重ね合わせに際し、図１に示すように取っ手１３にて一方の端部を、また牽引ポケット１４に手指を挿入して他方の端部をそれぞれ近接させるよう牽引し、所定位置で互いに接合するそれぞれの面ファスナー部１１によって固定する。
【００２４】
なお、被運搬物Ｃに対する締め具シート本体１の巻回装着に際し、弾性帯部２の弾性的な伸縮で被運搬物Ｃ周囲長さの若干の大小の相違に対応でき、また被運搬物Ｃをソフトに締め付け可能にする。
【図面の簡単な説明】
【００２５】
【図１】この考案を実施するための最良の形態を示す斜視図である。
【図２】同じく使用状態の斜視図である。
【図３】同じく牽引ポケット部における断面図である。
【図４】同じく使用作業時における要部斜視図である。
【図５】同じく他の実施の形態における要部斜視図である。
【符号の説明】
【００２６】
Ｃ…被運搬物                            Ｐ…荷役用パレット
１…締め具シート本体                    ２…弾性帯部
１０…固定手段                          １１…面ファスナー部
１２…保形芯材                          １３…取っ手
１４…牽引ポケット
【図１】
0003126420.tif 000003
【図２】
0003126420.tif 000004
【図３】
0003126420.tif 000005
【図４】
0003126420.tif 000006
【図５】
0003126420.tif 000007